(57)【要約】      （修正有）【課題】ブラシ面を交換できる衛生的に優れた技術であり、専ら磨き剤や濯ぎ水を使用しないでも、時と場所を選ばずに歯間や歯周に在る異物の排除と歯茎のマッサージを咄嗟に行える歯ブラシの技術。【解決手段】ブラシ部分については、リング枠状で平面がリングの内側に傾斜したブラシ台１の平面縦中央部に底面下に抜けてハンドル台接続を補強する為の凹凸がある凹凸通孔２を設け、凹凸通孔２中央横の両サイドにハンドル部分を止める係止溝３を設け、凹凸通孔２を囲むリング枠状の平面に植毛穴と底面に抜けるハンドル台接続を補強する凹凸突起孔５を設け、平面に予め定めておいた植毛穴の位置に植毛束４を数個植毛し、底面部には平面から抜けた凹凸通孔２と平面から抜けた凹凸突起孔５が現れる構成した組み立て歯ブラシに使うブラシ部分に成る部品、ブラシ植毛台を作る。【選択図】図１
2013081738.tif 000002
【特許請求の範囲】
【請求項１】
組み立て歯ブラシに於ける着脱するブラシ部分とハンドル部分の内、ブラシ部分については、リング枠状で平面がリングの内側に傾斜したブラシ台（１）の平面縦中央部に底面下に抜けてハンドル台接続を補強する為の凹凸がある凹凸通孔（２）を設け、凹凸通孔（２）中央横の両サイドにハンドル部分を止める係止溝（３）を設け、凹凸通孔（２）を囲むリング枠状の平面に植毛穴と底面に抜けるハンドル台接続を補強する凹凸突起孔（５）を設け、平面に予め定めておいた植毛穴の位置に植毛束（４）を数個植毛し、底面部には平面から抜けた凹凸通孔（２）と平面から抜けた凹凸突起孔（５）が現れる構成した組み立て歯ブラシに使うブラシ部分に成る部品、ブラシ植毛台（Ａ）。
【請求項２】
請求項１のブラシ植毛台（Ａ）を着脱できる組み立て歯ブラシに於けるハンドル部分は、ステック状に伸びた取手（７）の反体側にテニスラケットの様なリング状のハンドル枠（６）を設け、そのハンドル枠（６）の縦中央部分枠内を横に渡す支持板（９）とハンドル通孔（８）を設け、支持板（９）前後に分けたハンドル通孔２個が成り、支持板（９）とハンドル通孔（８）を囲むリング状枠の平面に凹凸突起（１０）を数個設けたハンドル枠（６）を作り、ハンドル枠（６）の支持板（９）中央に、上下に貫通する回転軸（１１）を通し回転軸（１１）の上に固定板（１２）を接続し、支持板（９）の底面側にある回転軸（１１）の先に固定ツマミ（１３）接続した構成の、組み立て歯ブラシに使うハンドル部分に成る部品、接続ハンドル台（Ｂ）。
【請求項３】
請求項２の接続ハンドル台（Ｂ）の固定ツマミ（１３）を回すと動く固定板（１２）を縦向きにして、請求項１のブラシ植毛台の凹凸通孔（２）を立て向きに揃えて上記縦向きにした固定板（１２）を嵌めながら、凹凸突起孔（５）に請求項２の凹凸突起（１０）を嵌め込み、ハンドル台の下にある固定ツマミ（１３）を回して上記の凹凸通孔（２）に在る係止溝（３）に固定板（１２）の両先を嵌め込んで接続して成る組み立て歯ブラシ（Ｃ）。
並びに、該組み立て歯ブラシ（Ｃ）に在る固定ツマミ（１３）を回して固定板（１２）係止溝（３）から外し凹凸突起孔（５）から凹凸突起（１０）を抜き出し接続着脱装置を解除して成る部品としてのブラシ植毛台（Ａ）と接続ハンドル台（Ｂ）。
【請求項４】
請求項１のブラシ植毛台（Ａ）の凹凸通孔（２）を除き、同じ位置に接続のための凹凸がある係止凹凸通孔（１４）を設けた以外は請求項１と同じ構成にした組み立て歯ブラシに使う、ブラシ植毛台（Ｄ）。
【請求項５】
請求項２の接続ハンドル台（Ｃ）のハンドル通孔（８）に在る支持板（９）と回転軸（１１）と固定板（１２）と固定ツマミ（１３）を除いて、ハンドル通孔（８）に底がない筒に接続のための凹凸がある凹凸筒突起（１５）を設けた以外は請求項２と同じ構成にした組み立て歯ブラシの、接続ハンドル台（Ｅ）。
【請求項６】
請求項５の接続ハンドル台（Ｅ）の凹凸突起（１０）と凹凸筒突起（１５）を請求項４のブラシ植毛台（Ｄ）の凹凸突起孔（５）と係止凹凸通孔（１４）に嵌めこんで成る組み立て歯ブラシ（Ｆ）。並びに、該組み立て歯ブラシ（Ｆ）の接続ハンドル（Ｅ）の凹凸突起（１０）と凹凸筒突起（１５）をブラシ植毛台（Ｄ）の凹凸突起孔（５）と係止凹凸通孔（１４）から外し接続着脱装置を元に戻して解除して成る部品としてのブラシ植毛台（Ｄ）と接続ハンドル台（Ｅ）。
【請求項７】
請求項５のハンドル台（Ｅ）の凹凸筒突起（１５）を除いて、その代わりに底が在る筒に接続のための凹凸が在る容器突起（１６）を設けた以外は請求項５と同じ組み立て歯ブラシの、接続ハンドル台（Ｇ）。
【請求項８】
請求項７の接続ハンドル台（Ｇ）の凹凸突起（１０）と容器突起（１６）に請求項４のブラシ植毛台（Ｄ）の凹凸突起孔（５）と係止凹凸通孔（１４）を嵌めこんで成る組み立て歯ブラシ（Ｈ）。並びに、該組み立て歯ブラシ（Ｈ）の接続着脱装置を元に戻して解除して成る部品としてのブラシ植毛台（Ｄ）と接続ハンドル台（Ｇ）。
【請求項９】
請求項１のブラシ植毛台（Ａ）に在る凹凸通孔（２）を除き、容器（１７）を設けた以外は請求項１と同じ構成にしたブラシ植毛台（Ｉ）。
【請求項１０】
請求項５の接続ハンドル台（Ｅ）に在る凹凸筒突起（１５）を除き、除いたところはそのままリング状枠内で中空に抜ける空白（１８）にした以外は請求項５と同じに構成した接続ハンドル（Ｊ）。
【請求項１１】
請求項１０の接続ハンドル（Ｊ）の凹凸突起（１０）を請求項９のブラシ植毛台（Ｉ）の凹凸突起孔（５）に嵌め込んで接続して成る組み立て歯ブラシ（Ｋ）。並びに、上記凹凸突起孔（５）から凹凸突起（１０）を引き抜いて接続着脱装置を解除して成る部品としての接続ハンドル（Ｊ）とブラシ植毛台（Ｉ）。
【請求項１２】
請求項１のブラシ植毛台（Ａ）に在る凹凸通孔（２）を除き、除いたところに平面から底面下に抜ける通孔（１９）を設けた以外は請求項１と同じ構成にしたブラシ植毛台（Ｌ）。
【請求項１３】
請求項１２のブラシ植毛台（Ｌ）の凹凸突起孔（５）に請求項１０の接続ハンドル（Ｊ）にある凹凸突起（１０）を嵌めこんで接続して成る組み立て歯ブラシ（Ｍ）。上記凹凸突起孔（５）から凹凸突起（１０）を引き抜いて接続着脱装置を解除して成る部品としての接続ハンドル（Ｊ）とブラシ植毛台（Ｌ）
【請求項１４】
請求項７の接続ハンドル（Ｇ）の容器突起（１６）を除いて、開閉する蓋を設け凹凸が在る蓋付凹凸容器突起（２０）を設けた外は請求項７の接続ハンドル（Ｇ）と同じ組み立て歯ブラシの、接続ハンドル（Ｎ）。
【請求項１５】
請求項１４の接続ハンドル（Ｎ）の凹凸突起（１０）と蓋付容器突起（２０）に請求項４のブラシ植毛台（Ｄ）の凹凸突起孔（５）と係止凹凸通孔（１４）を嵌めこんで成る組み立て歯ブラシ（Ｏ）。並びに、該組み立て歯ブラシ（Ｏ）の接続着脱装置を元に戻して解除して成る部品としてのブラシ植毛台（Ｄ）と接続ハンドル台（Ｎ）。
【請求項１６】
請求項２．５．７．１０．１４に在る接続ハンドルの凹凸突起（１０）に対応するカバー凹凸突起孔（２１）を請求項１．４．９．１２．のブラシ植毛台のブラシ台（１）のリング状外周径と同じ広さの平面に在る内側に向いた傾斜を排して傾斜の無い平らにした状態のハンドルカバー台（Ｐ）。並びに請求項２．５．７．１０．１４の接続ハンドルに在る凹凸突起（１）にハンドルカバー（Ｐ）を嵌めた接続ハンドル台の保護装置。
【発明の詳細な説明】
【技術分野】
【０００１】  従来型の歯磨き生活を根本から改める為の歯ブラシであり、状況によりブラシ面を交換できる技術である。専ら磨き剤や濯ぎ水を使用しない歯ブラシ、飲食しながら歯に何かが詰まっても咄嗟に使用できる歯ブラシである。専ら歯間や歯周に在って害になる異物を早め早めに排除し歯茎のマッサージも楽しくできる次世代型歯磨き生活に使用する歯ブラシの提供である。
【背景技術】
【０００２】  従来、多くの市場で販売されている歯ブラシにおいては植毛部に靴磨き用ブラシと同様に毛束を密集させてあるから、毛束に雑菌が留まり易く不衛生に成り易く、歯間や歯周の異物を狙って速やかに除去するのに不便であった。
効果がそれほどでない歯磨き剤と美しい濯ぎ水をやたら使いすぎるように出来ていて扱える時と場所に制約があり、歯間や歯周にある食物残渣が速やかに除去されない、マッサージ用には良いが歯科衛生を助けるような特段優れた道具とは思えない。
水資源を浪費しているし、磨き剤で濯ぎ水を汚している。
歯ブラシの材料の大半は比較的安価なプラスチックを主原料にしているが、その歯ブラシのブラシ面が傷むとプラスチックの大部分を占めているハンドルの丈夫なハンドル取手部位が惜しげもなく廃棄されている。
歯間や歯周の異物を除く歯を美しくする目的等の歯間ブラシも販売されているが、昔から在る爪楊枝をすこし改良したくらいの物が多い。従来歯ブラシを使った歯磨き生活は、明るい洗面所で高価な磨き剤と十分な濯ぎ水を使いながら楽しげに行われている姿が想像されるが、しかし、数百年も前から何故かこの変わらない歯磨き習慣が改まっていない事と、国民の歯科衛生状態が永年改善されていない事については、歯ブラシの存在は決して切り離せない因果関係が根深く存在している。【０００３】
【発明の概要】
【発明が解決しようとする課題】
【０００４】  本発明の組み立て歯ブラシでは、従来在る背景技術に疑問を抱いた結果、従来技術は悪しき歯磨き生活習慣に悪乗りして生産を続けた歯ブラシメーカー達が従来歯ブラシの改良努力と進歩性追求について考慮を怠ったと判断し、従来歯ブラシの生産をする業界に次世代を目指す本発明歯ブラシの技術を示して従来歯ブラシは健康生活に裨益するどころか悪しき習慣を助長するといった警鐘を送らなければならない。【０００５】  本発明は状況によりブラシ面を交換できる衛生的に優れた技術であり、専ら磨き剤や濯ぎ水を使用しないでも、時と場所を選ばずに歯間や歯周に在る異物の排除と歯茎のマッサージを咄嗟に行える歯ブラシの技術であり、資源を大切にするエコロジーな技術であり、生活スタイルにゆとりある時間を提供する技術であること等を課題にしている。【０００６】  ブラシ面がある植毛台と取手があるハンドルそれぞれを組み合せ解除する機能がある組み立て歯ブラシを提供するにあたり、要件として組み立てが簡便である、安全である、丈夫である、限られた資源を無駄なく有効に使用する、携行に適している、接続解除する場所を選ばない等を課題にする。【０００７】  本発明歯ブラシの使用に際し、異物をブラシで口外に排出しないで口中にある異物は自分の唾液と共に全て嚥下する動作を実行する事を守る条件下において、歯間や歯周の異物を除去する歯磨き時に歯磨き剤の使用をしないで行える、濯ぎ水の使用もしないで行える、使用する時と場所に殆どこだわらないで良い歩きながら、本を読みながら、宇宙船の中でも、極限の環境に在っても、食事の最中においてさえも楽しく使える事を課題にする。
【課題を解決する為の手段】
【０００８】  組み立て歯ブラシに於ける着脱するブラシ部分とハンドル部分の内、ブラシ部分については、リング枠状で平面がリングの内側に傾斜したブラシ台（１）の平面縦中央部に底面下に抜けてハンドル台接続を補強する為の凹凸がある凹凸通孔（２）を設け、凹凸通孔（２）中央横の両サイドにハンドル部分を止める係止溝（３）を設け、凹凸通孔（２）を囲むリング枠状の平面に植毛穴と底面に抜けるハンドル台接続を補強する凹凸突起孔（５）を設け、平面に予め定めておいた植毛穴の位置に植毛束（４）を数個植毛し、底面部には平面から抜けた凹凸通孔（２）と平面から抜けた凹凸突起孔（５）が現れる構成した組み立て歯ブラシに使うブラシ部分に成る部品、ブラシ植毛台（Ａ）を作る。
ブラシ植毛台（Ａ）の下から接続ハンドル（Ｂ）を嵌める接続装置凹凸通孔（２）の孔の入り口を平らに閉ざし平たくした状態にして、孔の底面から上に接続ハンドル（Ｂ）の固定装置である固定板を挿入して固定ツマミを回し固定板を動かすことが出来る係止溝（３）がある凹凸穴を設けた請求項１のブラシ植毛台にするのも良い。
ブラシ植毛台（１）の台に使う材質は弾性あるプラスチックスが良い、ハンドル台の硬い凹凸在る突起と植毛台の凹凸在る孔を緩やかにしかもしっかりと着脱出来るのが良い。
着脱安定装置として植毛台の底面に凹凸突起孔を必要と思う数を設けてハンドルに同数の凹凸突起を設けるのが良い。着脱装置は諸々従来から在る装置を援用するのも良い。
請求項６．８．１１．１３．１５の組み立てた歯ブラシ等は同じような形状の歯ブラシを、従来ある組み立て式では無い製法で形成した歯ブラシの如くプラスチックの台に、ブラシ台の中央を空けて周りに間隔を十分開けて植毛束も少なく植毛すれば容易に出来るし簡単なものとして作るのも良い。が、本発明の特徴ある組み立て歯ブラシの良さはゆるぎない。
植毛束の数、硬軟、太さ長さ、毛の性質などは使用する者のニーズにこたえる様に規格を決めて量産するのが良いが、植毛束を密に植毛するのを避け、歯の幅や歯の厚みを考慮して植毛するし、ブラシ台にある植毛束の毛が使用中に曲折劣化した時は自分で該当する毛を鋏みで摘み取るのが良いし、劣化損傷が無い植毛束においても長さなどが自分になじまない時などは自分で鋏みを使い自在にデザインして整毛できるから良い。
専ら歯茎のマッサージに使う物は植毛する毛束の質を考慮して植毛をデザインし、弾力在るゴムやプラスチックス素材を程よく用いた物をブラシ台平面に植え込むのも良い。
個人用歯ブラシの希望に応えるために、植毛する位置を定めていないブラシ台を種々作り、希望者の石膏歯型を取り製作中の歯型植毛機（歯の厚みや幅角度などサイズ合せた植毛）で歯型植毛歯ブラシを作る。
ユーザーの希望に対応する工房で注文を請け、ブラシ台の植毛束配植に歯形植毛したブラシ植毛台を作り満足いただける歯ブラシの提供をする予定である。
リング状枠の平面を特徴的な内側傾斜するのが最良であるが傾斜が無くてもブラシ植毛台（Ａ）の特徴が損なわれることは無いから悪くない。
固定装置を堅固にするには植毛台とハンドル台をボルト締めする方法も良いが、歯ブラシを使用する際はブラシ植毛台の上に接続ハンドル台があり、植毛台平面に向かって押す圧力が及ぶから、必要以上に強力なグリップ装置をする必要は無い。
ブラシ植毛台を使わないときは滅菌や殺菌剤入りのケースか清潔なケースに納め、接続ハンドル台は保護カバーに装着しておくのが良い。
ブラシ植毛台の毛束は丈夫でしなやかな素材で作るが、それでも弱ったり消耗したり何らかの理由で使わない状態になれば、その台にある植毛束を全て抜き取るか刈り取って接続ハンドル台の保護カバーとして役立てるのが良い。
規格に合わせて種々のブラシ植毛台を取り揃えると合理的で効果的な歯磨き生活を飛躍的に発展させることが可能となり歯磨きが盛んになるから良い。
【０００９】  請求項１のブラシ植毛台（Ａ）を着脱できる組み立て歯ブラシに於けるハンドル部分は、ステック状に伸びた取手（７）の反体側にテニスラケットの様なリング状のハンドル枠（６）を設け、そのハンドル枠（６）の縦中央部分枠内を横に渡す支持板（９）とハンドル通孔（８）を設け、支持板（９）前後に分けたハンドル通孔２個が成り、支持板（９）とハンドル通孔（８）を囲むリング状枠の平面に凹凸突起（１０）を数個設けたハンドル枠（６）を作り、ハンドル枠（６）の支持板（９）中央に、上下に貫通する回転軸（１１）を通し回転軸（１１）の上に固定板（１２）を接続し、支持板（９）の底面側にある回転軸（１１）の先に固定ツマミ（１３）接続した構成の、組み立て歯ブラシに使うハンドル部分に成る部品、接続ハンドル台（Ｂ）を作る。
支持板を２個のハンドル通孔を除いてハンドル通孔が在ったところを板で埋めて広い支持板にするのも良い。その時は同時に動く固定板と固定ツマミの位置が支持板を挟んで同列に縦向きか横向きに在るが回転軸で固定する位置を縦向きと横向きに分けるのも良い。ハンドル台のリング状にして植毛台を接続するリング状ハンドル枠（６）はブラシ植毛台（１）の外周よりも一回り小枠にする。ハンドル枠は丈夫で硬い材質を用いるのが良く硬く丈夫なプラスチックスや金属を選んで使うのが良い。
【００１０】  請求項２の接続ハンドル台（Ｂ）の固定ツマミ（１３）を回すと動く固定板（１２）を縦向きにして、請求項１のブラシ植毛台の凹凸通孔（２）を立て向きに揃えて上記縦向きにした固定板（１２）を嵌めながら、凹凸突起孔（５）に請求項２の凹凸突起（１０）を嵌め込み、ハンドル台の下にある固定ツマミ（１３）を回して上記の凹凸通孔（２）に在る係止溝（３）に固定板（１２）の両先を嵌め込んで接続して成る組み立て歯ブラシ（Ｃ）を作る。
組み立て歯ブラシ（Ｃ）に在る固定ツマミ（１３）を回して固定板（１２）係止溝（３）から外し凹凸突起孔（５）から凹凸突起（１０）を抜き出し接続着脱装置を解除して成る部品としてブラシ植毛台（Ａ）と接続ハンドル台（Ｂ）は再々使用する。
接続ハンドル台の規格に合わせて種々のブラシ植毛台を取り揃えるのが良いし、接続ハンドル台も標準規格を揃えて使用者の便益や経済性を考慮するのが良い。常時ブラシ植毛台を接続ハンドル台と接続しておくのも良いが、使用しない時は請求項１６のハンドルカバー台（Ｐ）を接続ハンドル台に嵌めておくのも良い。
【００１１】  請求項１のブラシ植毛台（Ａ）の凹凸通孔（２）を除き、同じ位置に接続のための凹凸がある係止凹凸通孔（１４）を設けた以外は請求項１と同じ構成にした組み立て歯ブラシに使う、ブラシ植毛台（Ｄ）を作る。
係止凹凸通孔などの凹凸を設けた孔が、ストレートではない凹凸や波形やギザギザなど、抵抗する形状をその面を表して、接続する凹凸在る突起が、少しの抵抗はあるが合致させると同じような抵抗がないと接続が解けない接続措置として仮止めを有効に機能させるから良い。
【００１２】  請求項２の接続ハンドル台（Ｃ）のハンドル通孔（８）に在る支持板（９）と回転軸（１１）と固定板（１２）と固定ツマミ（１３）を除いて、ハンドル通孔（８）に底がない筒に接続のための凹凸がある凹凸筒突起（１５）を設けた以外は請求項２と同じ構成にした組み立て歯ブラシの、接続ハンドル台（Ｅ）を作る。
【００１３】  請求項５の接続ハンドル台（Ｅ）の凹凸突起（１０）と凹凸筒突起（１５）を請求項４のブラシ植毛台（Ｄ）の凹凸突起孔（５）と係止凹凸通孔（１４）に嵌めこんで成る組み立て歯ブラシ（Ｆ）を作る。
組み立て歯ブラシ（Ｆ）の接続ハンドル（Ｅ）の凹凸突起（１０）と凹凸筒突起（１５）をブラシ植毛台（Ｄ）の凹凸突起孔（５）と係止凹凸通孔（１４）から外し接続着脱装置を元に戻して解除して成る部品としてのブラシ植毛台（Ｄ）と接続ハンドル台（Ｅ）は再々使用する。
本発明は従来歯ブラシの常識を破る歯ブラシ、歯磨き剤を一切使用しない濯ぎ水を一切使用しない、磨き剤と水を必用としない歯ブラシの提供であるからコンパクトで携行に適し楽しく常時使用したくなるものである必要から構成がシンプルで在ることが望まれるので、小型軽量で使い易くて歯磨き効果が優れ経済性も優れたものが良い。
【００１４】  請求項５のハンドル台（Ｅ）の凹凸筒突起（１５）を除いて、その代わりに底が在る筒に接続のための凹凸が在る容器突起（１６）を設けた以外は請求項５と同じ組み立て歯ブラシの、接続ハンドル台（Ｇ）を作る。
【００１５】  請求項７の接続ハンドル台（Ｇ）の凹凸突起（１０）と容器突起（１６）に請求項４のブラシ植毛台（Ｄ）の凹凸突起孔（５）と係止凹凸通孔（１４）を嵌めこんで成る組み立て歯ブラシ（Ｈ）を作る。組み立て歯ブラシ（Ｈ）の接続着脱装置を元に戻して解除して成る部品としてのブラシ植毛台（Ｄ）と接続ハンドル台（Ｇ）を再々使用する。
植毛を施した歯ブラシの中央の容器にブラッシングして歯間などから排除された食物残渣等が集まり吸い込み嚥下し易い。容器にキシリトール等口中や歯の為になる物を詰め込んだり出来るから良い。
請求項１のブラシ植毛台（Ａ）に在る凹凸通孔（２）を除き、容器（１７）を設けた以外は請求項１と同じ構成にしたブラシ植毛台（Ｉ）を作る。
【００１６】  請求項５の接続ハンドル台（Ｅ）に在る凹凸筒突起（１５）を除き、除いたところはそのままリング状枠内で中空に抜ける空白（１８）にした以外は請求項５と同じに構成した接続ハンドル（Ｊ）を作る。
【００１７】  請求項１０の接続ハンドル（Ｊ）の凹凸突起（１０）を請求項９のブラシ植毛台（Ｉ）の凹凸突起孔（５）に嵌め込んで接続して成る組み立て歯ブラシ（Ｋ）を作る。並びに、上記凹凸突起孔（５）から凹凸突起（１０）を引き抜いて接続着脱装置を解除して成る部品としての接続ハンドル（Ｊ）とブラシ植毛台（Ｉ）を再々使用する。
【００１８】  請求項１のブラシ植毛台（Ａ）に在る凹凸通孔（２）を除き、除いたところに平面から底面下に抜ける通孔（１９）を設けた以外は請求項１と同じ構成にしたブラシ植毛台（Ｌ）を作る。
【００１９】  請求項１２のブラシ植毛台（Ｌ）の凹凸突起孔（５）に請求項１０の接続ハンドル（Ｊ）にある凹凸突起（１０）を嵌めこんで接続してなる成る組み立て歯ブラシ（Ｍ）を作る。上記凹凸突起孔（５）から凹凸突起（１０）を引き抜いて接続着脱装置を解除して成る部品としての接続ハンドル（Ｊ）とブラシ植毛台（Ｌ）を再々使用する。
【００２０】  請求項７の接続ハンドル（Ｇ）の容器突起（１６）を除いて、開閉する蓋を設け凹凸が在る蓋付凹凸容器突起（２０）を設けた外は請求項７の接続ハンドル（Ｇ）と同じ組み立て歯ブラシの、接続ハンドル（Ｎ）を作る。
蓋に抜き穴を開けておくのも良いがネット状の蓋も良い。
【００２１】  請求項１４の接続ハンドル（Ｎ）の凹凸突起（１０）と蓋付容器突起（２０）に請求項４のブラシ植毛台（Ｄ）の凹凸突起孔（５）と係止凹凸通孔（１４）を嵌めこんで成る組み立て歯ブラシ（Ｏ）を作る。並びに、該組み立て歯ブラシ（Ｏ）の接続着脱装置を元に戻して解除して成る部品としてのブラシ植毛台（Ｄ）と接続ハンドル台（Ｎ）を再々使用する。
【００２２】  請求項２．５．７．１０．１４に在る接続ハンドルの凹凸突起（１０）に対応するカバー凹凸突起孔（２１）を請求項１．４．９．１２．のブラシ植毛台のブラシ台（１）のリング状外周径と同じ広さの平面に在る内側に向いた傾斜を排して傾斜の無い平らにした状態のハンドルカバー台（Ｐ）を作る。並びに請求項２．５．７．１０．１４の接続ハンドルに在る凹凸突起（１）にハンドルカバー（Ｐ）を嵌めた接続ハンドル台の保護装置を作る。
ハンドル平面だけでなくリング状ハンドルの裏表をカバーするデザインを種々作りハンドルをカバーした保護装置を作るのも良い。
請求項１．４．９．１２．に在るブラシ植毛台を使わないときは接続ハンドルから解除して消毒滅菌作用を助ける容器に収容するのが良いから、専用の携行容器を作るのが良い。
【発明の効果】
【００２３】  歯をいつまでも美しく健康に保ちたい願望は命と健康に関わることでもあるから従来の問題点を解決する意義は誠に大きいし、本発明が従来から続いていた問題点を解決できるとなれば多くの国民に及ぼす健康増進へ貢献できる。
ジョイント装置の規格さえ同じであれば毛束の種類を変えた植毛台の形状や間隔を変えた植毛台など多種類の植毛部品を使い分けすることが出来るし、使った植毛台は消毒液や殺菌液に浸して保管することが出来るし、植毛台は小粒であるから管理し易く安価で求めやすい価格で提供できるし、ハンドル部については半永久的に使えるから資源の無駄が無いばかりか、代々に伝えて使用する事ができるから芸術的な価値在るハンドルの注文も必ず寄せられるであろう。
【００２４】  従来の問題で最たる点は使いたくなる歯ブラシが皆無である点である。期待するほど歯が健康にならない、使い勝手が煩雑で回数多く歯を磨く気になれない、だから歯の薬や医者に頼りすぎていたが、本発明が簡便であるから楽しいから頻繁に歯を磨かずにおられなくなり、自分の歯が日を追う毎に美しく衛生的で強くなり、何を食するのも美味しく食感を楽しめるようになる。
【００２５】  本発明の組み立て歯ブラシが認められ、国内に広まれば国中の歯磨き習慣の革命が起き、使用者が美しい歯、健康な歯を感じ、喜びを噛み締めることが出来る。体の不自由なお年寄りや病気で起き上がれない方々に嬉しい福音となる。世界の果てまで本発明を広めて多くの人々に喜んでもらいたい。
【図面の簡単な説明】
【００２６】
【図１】  請求項３の組み立て経過を示した歯ブラシの略斜視図
【図２】  請求項６の組み立て経過を示した歯ブラシの略斜視図
【図３】  請求項８の組み立て経過を示した歯ブラシの略斜視図
【図４】  請求項１１の組み立て経過を示した歯ブラシの略斜視図
【図５】  請求項１３の組み立て経過を示した歯ブラシの略斜視図
【図６】  請求項１５の組み立て経過を示した歯ブラシの略斜視図
【発明を実施するための最良の形態】
【００２７】  図１で示す（実施例１）の形態は、ブラシ植毛台を接続ハンドルに装着する経過をしめした組み立て歯ブラシの図であり、ハンドル台に規格が合致する植毛台を採用し使用者が選んで装着する。
【産業上の利用可能性】
【００２８】  本発明が使用され普及すれば計り知れない省エネ効果が生まれる。歯科衛生状態が著しく改善される。無駄であった従来に要していた歯磨き時間が豊かな生活空間に生まれ変わる。水や電気の節約、水汚染の防止、歯ブラシの素材に無駄がなくなり安価に製造できる。商品化については本発明出願に関しさらに調査をすすめ結果次第で金型、成形、量産加工販売の計画を速やかに進める事に問題が無い。
【符号の説明】
【００２９】１    ブラシ台
２    凹凸通孔
３    係止溝
４    植毛束
５    凹凸突起孔
６    ハンドル枠
７    取手
８    ハンドル通孔
９    支持板
１０  凹凸突起
１１  回転軸
１２  固定板
１３  固定ツマミ
１４  係止凹凸通孔
１５  凹凸筒突起
１６  容器突起
１７  容器
１８  空
１９  通孔
２０  蓋付凹凸容器突起
２１  カバー凹凸突起孔
【図１】
2013081738.tif 000003
【図２】
2013081738.tif 000004
【図３】
2013081738.tif 000005
【図４】
2013081738.tif 000006
【図５】
2013081738.tif 000007
【図６】
2013081738.tif 000008